(57)【要約】  エアコンの現在の制御モードを判定し、制御モードは、エアコンが表示パネルを使用せずに正常に運転することを表すための表示パネル不使用モードを少なくとも含むこと（Ｓ２０２）と、制御モードが表示制御モードである場合、現在の運転状態で運転させるようにエアコンを制御すること（Ｓ２０４）とを含むエアコンの制御方法と装置。【選択図】図２
2020524775.tif 000002
【特許請求の範囲】
【請求項１】
エアコンの現在の制御モードを判定し、前記制御モードは、前記エアコンが表示パネルを使用せずに正常に運転することを表すための表示パネル不使用モードを少なくとも含むことと、
前記制御モードが表示パネル不使用モードである場合、現在の運転状態で運転させるように前記エアコンを制御することと、
を含むエアコンの制御方法。
【請求項２】
前記エアコンの現在の制御モードを判定することは、
前記エアコンが正常に使用可能な表示パネルを備えているか否かを検知することと、
エアコンが正常に使用可能な前記表示パネルを備えていない場合には、表示パネル不使用モードに移行させるように前記エアコンを制御することと、
を含む、請求項１に記載の方法。
【請求項３】
前記エアコンが正常に使用可能な表示パネルを備えているか否かを検知することは、
前記エアコンが表示パネルを備えているか否かを検知することと、
前記エアコンが表示パネルを備えている場合、その表示パネルが故障したか否かを検知することと、
前記エアコンが表示パネルを備えない場合又は前記エアコンの表示パネルが故障した場合、前記エアコンは正常に使用可能な表示パネルを備えていないと判定することと、
を含む、請求項２に記載の方法。
【請求項４】
現在の運転状態で運転させるように前記エアコンを制御した後に、さらに、
前記エアコンにそれを制御するための外部機器が接続されているか否かを検知することと、
前記エアコンに前記外部機器が接続されている場合には、前記エアコンと通信する外部機器により前記エアコンを制御するための端末制御モードに移行させるように前記エアコンを制御することと、
前記エアコンに外部機器が接続されていない場合には、現在の運転状態を保持させるように前記エアコンを制御することと、
を含む、請求項１に記載の方法。
【請求項５】
前記エアコンの表示パネルが故障した場合、現在の運転状態で運転させるように前記エアコンを制御することは、現在の運転状態で前記エアコンを運転させるように、前記表示パネルの故障フィードバックを遮断することを含む、請求項２に記載の方法。
【請求項６】
エアコンの現在の制御モードを判定し、前記制御モードは、前記エアコンが表示パネルを使用せずに正常に運転することを表すための表示パネル不使用モードを少なくとも含む判定モジュールと、
前記制御モードが表示パネル不使用モードである場合、現在の運転状態で運転させるように前記エアコンを制御する制御モジュールと、
を含むエアコンの制御装置。
【請求項７】
前記判定モジュールは、
前記エアコンが正常に使用可能な表示パネルを備えているか否かを検知する検知サブモジュールと、
エアコンが正常に使用可能な前記表示パネルを備えていない場合には、表示パネル不使用モードに移行させるように前記エアコンを制御する制御サブモジュールと、
を含む、請求項６に記載の装置。
【請求項８】
前記検知サブモジュールは、
前記エアコンが表示パネルを備えているか否かを検知するための第一の検知ユニットと、
前記エアコンが表示パネルを備えている場合、その表示パネルが故障したか否かを検知する第二の検知ユニットと、
前記エアコンが表示パネルを備えない場合又は前記エアコンの表示パネルが故障した場合、前記エアコンは正常に使用可能な表示パネルを備えていないと判定する判定ユニットと、
を含む、請求項７に記載の装置。
【請求項９】
記憶されたプログラムを含む記憶媒体であって、前記プログラムが実行されると、前記記憶媒体が設置された設備は、請求項１から請求項５のいずれかに記載のエアコンの制御方法を実行するように制御される記憶媒体。
【請求項１０】
プログラムを実行するためのプロセッサであって、前記プログラムが実行されると、請求項１から請求項５のいずれかに記載のエアコンの制御方法が実行されるプロセッサ。
【発明の詳細な説明】
【技術分野】
【０００１】
本発明はエアコン制御の分野に関し、具体的には、エアコンの制御方法と装置に関する。
【背景技術】
【０００２】
従来技術では、エアコン制御システムにおいて各種の表示パネル（例えば、タッチパネル）をエアコンユニットにおけるヒューマンマシンインタラクション・インタフェースとして用いることは一般的であり、ユーザは表示パネルの表示画面から、エアコンユニットの運転状態の確認や制御を行っていた。図１は、従来技術によるエアコン制御の模式図であり、大型ビルに設置された中央式空気調和装置を例とすると、エアコン毎の機器本体に対応して、現在の室内温度や目標温度とエアコンの現在の運転状態が表示されるタッチパネルを備えている。ユーザがエアコンを制御しようとする時、タッチパネルのプリセットボタンにより温度を上げたり下げたりすることで目標温度を決定し、さらに、タッチパネルのプリセットボタンにより、例えばエアコンの運転モードを冷房モードから換気モードに変更する等、エアコンの運転モードの変更を行うことも可能であった。
【０００３】
しかし、上記したエアコン制御方法では、エアコンユニットの表示パネルが故障した場合や、使用されない場合、エアコンが正常に運転できず、更にエアコンの制御モードが単一であるという問題があった。
【０００４】
従来技術によるエアコンの表示パネルが故障した場合に使用できないという課題については、有効な解決手段はまだ提案されていなかった。
【発明の概要】
【発明が解決しようとする課題】
【０００５】
本発明は、従来技術によるエアコンの表示パネルが故障した場合にエアコンを使用できないという技術的課題を少なくとも解決するために、少なくとも一部の実施例によりエアコンの制御方法と装置を提供している。
【課題を解決するための手段】
【０００６】
本発明の一実施例によれば、エアコンの制御方法を提供し、エアコンの現在の制御モードを判定し、制御モードは、エアコンが表示パネルを使用せずに正常に運転することを表すための表示パネル不使用モードを少なくとも含むことと、制御モードが表示パネル不使用モードである場合、現在の運転状態で運転させるようにエアコンを制御することと、を含む。
【０００７】
任意には、エアコンが正常に使用可能な表示パネルを備えているか否かを検知し、エアコンが正常に使用可能な表示パネルを備えていない場合には、表示パネル不使用モードに移行させるようにエアコンを制御する。
【０００８】
任意には、エアコンが表示パネルを備えているか否かを検知し、エアコンが表示パネルを備えている場合、その表示パネルが故障したか否かを検知し、一方、エアコンが表示パネルを備えず又はエアコンの表示パネルが故障した場合、エアコンは正常に使用可能な表示パネルを備えていないと判定する。
【０００９】
任意には、エアコンにそれを制御するための外部機器が接続されているか否かを検知し、エアコンに外部機器が接続されている場合には、エアコンと通信する外部機器によりエアコンを制御するための端末制御モードに移行させるようにエアコンを制御し、エアコンに外部機器が接続されていない場合には、現在の運転状態を保持させるようにエアコンを制御する。
【００１０】
任意には、現在の運転状態でエアコンを運転させるように、表示パネルの故障フィードバックを遮断する。
【００１１】
本発明の一実施例によると、エアコンの制御装置を提供し、エアコンの現在の制御モードを判定し、制御モードは、エアコンが表示パネルを使用せずに正常に運転することを表すための表示パネル不使用モードを少なくとも含む判定モジュールと、制御モードが表示パネル不使用モードである場合、現在の運転状態で運転させるようにエアコンを制御する制御モジュールと、を含む。
【００１２】
任意には、エアコンが正常に使用可能な表示パネルを備えているか否かを検知する検知サブモジュールと、エアコンが正常に使用可能な表示パネルを備えていない場合には、表示パネル不使用モードに移行させるようにエアコンを制御する制御サブモジュールとを含む。
【００１３】
任意には、エアコンが表示パネルを備えているか否かを検知する第一の検知ユニットと、エアコンが表示パネルを備えている場合、その表示パネルが故障したか否かを検知する第二の検知ユニットと、エアコンが表示パネルを備えず又はエアコンの表パネルが故障した場合、エアコンは正常に使用可能な表示パネルを備えていないと判定する判定ユニットとを含む。
【発明の効果】
【００１４】
本発明の少なくとも一部の実施例では、エアコンの現在の制御モードを判定し、制御モードが表示パネル不使用モードである場合、現在の運転状態で運転させるようにエアコンを制御する。上記解決手段による表示パネル不使用モードによれば、エアコンは表示パネルを備えない場合又は表示パネルが故障した場合においても正常に運転可能となり、従来技術によるエアコンの表示パネルが故障した場合に使用できないという技術的課題が解決され、そしてエアコンは表示パネルを使用しない場合に自主的に運転する効果が得られ、さらには、エアコン制御の多様性が実現される。
【００１５】
ここで記載する図面は、本発明の更なる理解のためのものであって、本発明の一部を構成するものであり、本発明の例示的な実施例及びその説明は本発明を解釈するために用いられ、本発明を不当に限定するものではない。
【図面の簡単な説明】
【００１６】
【図１】従来技術によるエアコン制御の模式図である。
【図２】本発明の一実施例によるエアコンの制御方法のフローチャートである。
【図３】本発明の一実施例による一態様のエアコン制御の模式図である。
【図４】本発明の一実施例による一態様のエアコンの制御方法のフローチャートである。
【図５】本発明の一実施例による一態様のエアコンの制御装置の模式図である。
【発明を実施するための形態】
【００１７】
当業者が本発明をより良好に理解するようにするため、実施例における図面と合わせて本発明の実施例による技術的解決手段を明瞭且つ完全に説明するが、説明される実施例は本発明の実施例の一部にすぎず、すべての実施例ではないことは明らかである。本発明の実施形態に基づいて、当業者によって創造的な労力なしに得られる他のすべての実施形態は、本発明の範囲内にあるべきである。
【００１８】
本発明の明細書と特許請求の範囲及び上記図面における「第一」、「第二」等の用語は類似の対象を区別するためのものであり、所定の順序や順次を説明するものとして用いられるわけではないことは了解されたい。このように使用される用語は、本明細書で説明する本発明の実施例が、ここに示され又は説明されるもの以外の順で実施され得るように、用語は場合によって交換可能であることは理解されたい。また、「含む」や「備える」という用語及びそれらの変形のいずれも、非排他的な包含をカバーすることを意図しており、例えば、一連のステップやユニットを含む過程、方法、システム、製品又は設備は明示されたステップやユニットに限られるわけではなく、明示されておらず、あるいはこれらの過程、方法、製品又は設備に固有の他のステップやユニットを含むものであってもよい。
【実施例１】
【００１９】
本発明の一実施例によれば、エアコンの制御方法が提供されるが、図面中のフローチャートに示されるステップは、例えば指令を実行可能なコンピュータシステムにて実行でき、そして、フローチャートには論理順序が示されているが、図示又は説明されるステップは、場合によっては、それと異なる順序で実行されてもよいことは了解されたい。
【００２０】
図２は、本発明の一実施例によるエアコンの制御方法のフローチャートであり、図２に示されるように、この方法は以下のステップを含む。
【００２１】
ステップＳ２０２では、エアコンの現在の制御モードを判定し、制御モードは、エアコンが表示パネルを使用せずに正常に運転することを表すための表示パネル不使用モードを少なくとも含む。
【００２２】
具体的には、上記制御モードは、エアコンの制御方式、即ち、どのようにエアコンを制御するかを表すためのものである。上記エアコンの表示パネルはタッチパネルであってもよく、エアコンパネルに設けられた表示パネルやエアコンから離れた室内の所定位置に設けられた表示パネル等を含み、エアコンの制御モードは、表示パネル不使用モードと端末制御モードと表示画面制御モードを含んでもよい。
【００２３】
なお、従来技術のエアコンはいずれも表示パネルを備えており、表示パネルが故障すると、エアコンは運転できなくなり、即ち、従来技術のエアコンには表示パネル不使用モードが存在せず、表示パネルが正常である場合のみにおいてエアコンは運転可能であることは了解されたい。上記実施例では、エアコンの制御モードは、表示パネル不使用モード、即ち、エアコンが表示パネルを使用せずに正常に運転するモードを含む。エアコンが表示パネルを使用しないことは、エアコンの表示パネルが故障して正常に運転できないことと、エアコンが表示パネルを備えていないこととを含んでもよい。
【００２４】
ステップＳ２０４では、制御モードが表示パネル不使用モードである場合、現在の運転状態で運転させるようにエアコンを制御する。
【００２５】
具体的には、上記したエアコンの現在の運転状態は、その制御モードが表示パネル不使用モードになる前の直近の運転状態であり、現在の運転モードや現在の目標温度等を含んでもよい。
【００２６】
一態様の実施例によれば、エアコンの表示パネルが故障した場合の例では、エアコンの表示パネルが故障した時、エアコンの制御モードが表示パネル不使用モードと判定され、表示パネル不使用モードになる前に冷房モードで運転しており目標温度が２５℃であれば、エアコンは冷房モードを保持して、２５℃を目標温度として運転し続ける。
【００２７】
以上から分かるように、本発明の上記実施例では、エアコンの現在の制御モードを判定し、制御モードが表示パネル不使用モードである場合、現在の運転状態で運転させるようにエアコンを制御する。上記解決手段による表示パネル不使用モードによれば、エアコンは表示パネルを備えない場合又は表示パネルが故障した場合においても正常に運転可能となり、従来技術のエアコンの表示パネルが故障した場合にエアコンを使用できないという技術的課題が解決され、そしてエアコンは表示パネルを使用しない場合に自主的に運転する効果が得られ、さらには、エアコン制御の多様性が実現される。
【００２８】
任意には、本発明の上記実施例によれば、エアコンの現在の制御モードを判定することは以下のステップを含む。
【００２９】
ステップＳ２０２１では、エアコンが正常に使用可能な表示パネルを備えているか否かを検知する。
【００３０】
具体的には、上記ステップでは、エアコンにおいて正常に使用可能な表示パネルは、エアコンが表示パネルを備え、その表示パネルが正常に動作し故障が発生していないことを表すためのものである。
【００３１】
ステップＳ２０２３では、エアコンが正常に使用可能な表示パネルを備えていない時には、表示パネル不使用モードに移行させるようにエアコンを制御する。
【００３２】
具体的には、表示パネル不使用モードに移行させるようにエアコンを制御した後、エアコンの制御モードが調整されたことをユーザに報知する警告メッセージを出してもよい。一態様の実施例では、エアコンの表示パネルが故障し、エアコンは正常に使用可能な表示パネルを備えていないため、表示パネル不使用モードに移行させるようにエアコンを制御して、現在の運転状態で運転させる。
【００３３】
なお、従来技術のエアコンは、表示パネルが故障すると、運転し続けることができなくなったが、本発明の上記解決手段によれば、エアコンが正常に使用可能な表示パネルを備えていない場合には、エアコンの制御モードを変更することで、表示パネルが故障した場合において運転し続けうることは了解されたい。
【００３４】
任意には、本発明の上記実施例によれば、エアコンが正常に使用可能な表示パネルを備えているか否かを検知することは、エアコンが表示パネルを備えているか否かを検知することと、エアコンが表示パネルを備えている場合に、その表示パネルが故障したか否かを検知することと、エアコンが表示パネルを備えない場合又はエアコンの表示パネルが故障した場合、エアコンは正常に使用可能な表示パネルを備えていないと判定することとを含む。
【００３５】
任意には、本発明の上記実施例によれば、上記方法は、現在の運転状態で運転させるようにエアコンを制御した後に、さらに以下のステップを含む。
【００３６】
ステップＳ２０６では、エアコンにそれを制御するための外部機器が接続されているか否かを検知する。
【００３７】
具体的には、上記外部機器は、スマートフォン、タブレットコンピュータ等のスマート端末であってもよい。エアコンが通信モジュール（例えば、ブルートゥース通信モジュールやＷＩＦＩ通信モジュール等）によるオープンインタフェースを備えている場合、オープンインタフェースを介して外部機器と通信することで、端末制御モードを実現することができる。
【００３８】
ステップＳ２０８では、エアコンに外部機器が接続されている場合に、エアコンと通信する外部機器によりエアコンを制御するための端末制御モードに移行させるようにエアコンを制御する。
【００３９】
ステップＳ２０１０では、エアコンに外部機器が接続されていない場合に、現在の運転状態を保持させるようにエアコンを制御する。
【００４０】
一態様の実施例では、エアコンは、表示パネルの故障が原因で表示表示パネル不使用モードになると、現在の運転状態を保持して運転し、ユーザがエアコンを制御し、エアコンの運転モードを変更しようとすると、スマートフォンを外部機器としてエアコンと通信させ、スマートフォンでエアコンを制御するようにする。スマートフォンによるエアコンに対する制御が完了した後、スマートフォンとエアコンとの通信を切断し、エアコンは表示画面抜けモードに戻り、現在の運転状態で運転するようになる。
【００４１】
図３は、本発明の一実施例によるエアコン制御の模式図であり、他の実施例では、エアコンの機器本体に表示パネルを備えず、オープンインタフェース（例えば、ＷＩＦＩインタフェースやブルートゥースインタフェース等）を備えており、ユーザがエアコンを制御しようとする時には、スマートフォンを外部機器としてエアコンのオープンインタフェースを介してエアコンと通信させ、スマートフォンでエアコンを制御することができる。スマートフォンによるエアコンに対する制御が完了した後、スマートフォンとエアコンとの通信を切断し、エアコンが表示パネル不使用モードに戻り、現在の運転状態で運転するようになる。
【００４２】
ここでは、エアコンユニットが正常に運転している場合、表示パネルによりシステムの不必要な電力消費が生じるため、エアコンユニットのコスト上の制限がある場合、あるいは、エアコンの運転パラメータをリアルタイムに検知する必要のない場合、直接表示パネルの使用を無効にして、エアコンユニットを表示パネル不使用モードで運転させるようにしてもよく、ユーザが制御を行うときには、エアコンユニットにおけるオープンインタフェースを介して外部機器に接続してエアコンを制御できることで、エアコンの消費電力の低減効果が達成される。
【００４３】
任意には、本発明の上記実施例によれば、エアコンの表示パネルの故障の場合、現在の運転状態で運転させるようにエアコンを制御することは、現在の運転状態でエアコンを運転させるように、表示画面の故障フィードバックを遮断することを含む。
【００４４】
従来技術によるエアコンでは、故障が発生すると、表示パネルの故障フィードバックを行うようになり、その間、エアコンは運転し続けることができなかったが、本発明の上記解決手段によれば、表示パネルの故障フィードバックを遮断することにより、エアコンは表示パネル故障の場合において現在の運転状態で運転し続けることが可能になる。
【００４５】
図４は、本発明の一実施例による一態様のエアコンの制御方法のフローチャートであり、以下、図４を参照して上記エアコンの制御方法について説明する。
【００４６】
Ｓ４１では、エアコンの現在の制御モードを判断する。具体的には、上記制御モードは、表示パネル不使用モードと端末制御モードと表示画面制御モードを含んでもよい。
【００４７】
Ｓ４２では、表示パネルが正常であるか否かを判断する。エアコンの表示パネルが正常である場合、ステップＳ４３へ進み、エアコンの表示パネルが正常ではない場合、ステップＳ４４へ進む。
【００４８】
Ｓ４３では、表示パネル使用モードに移行する。
【００４９】
上記ステップでは、エアコンの表示パネルが正常である場合、表示パネル使用制御モード、つまり表示パネル制御モードに移行する。
【００５０】
Ｓ４４では、表示パネル不使用モードに移行する。
【００５１】
上記ステップでは、エアコンの表示パネルが正常ではない場合、表示パネル不使用モードに移行した後、エアコンに外部機器が接続されているか否かを検知する。
【００５２】
Ｓ４５では、外部機器が接続されているか否かを検知する。エアコンに外部機器が接続されている場合、ステップＳ４６へ進み、エアコンに外部機器が接続されていない場合、ステップＳ４４へ戻る。
【００５３】
Ｓ４６では、端末制御モードに移行する。
【００５４】
本発明によるエアコンの制御方法では、エアコンの表示パネル不使用が実現可能であり、エアコン制御システムは、その表示パネルが壊れた状態又は休止した状態でも、予め設定された運転論理に従って正常に運転でき、また、このシステムの機器本体には多様な無線型オープンインタフェースが設けられており、ユーザは、必要に応じて外部機器により、ブルートゥースやＷＩＦＩ等の複数の通信方式でこの制御システムと無線通信を行って、エアコンに対するモード制御及びデータ収集を行うことで、多様なヒューマンマシンインタラクションが実現される。
【００５５】
それにより、上記方法による表示パネル不使用モードによれば、表示パネルの作動状態の異常に起因した機器全体の運転状態に対する影響を取り除き得るばかりか、機器全体の消費電力も低下して、エアコンユニットのエネルギ効率レベルの向上に繋がり、また、エアコンのオープンインタフェースによれば、表示パネルを唯一の制御プラットフォームとする単一の制御構成は改善され、エアコン機器の制御インタフェースが多様且つ適合性の高いものとなる。
【実施例２】
【００５６】
本発明の一実施例によれば、エアコンの制御装置を提供し、図５は、本発明の一実施例によるエアコンの制御装置の模式図であり、図５によれば、この装置は判定モジュール５０と制御モジュール５２とを含む。
【００５７】
判定モジュール５０は、エアコンの現在の制御モードを判定し、制御モードは、エアコンが表示パネルを使用せずに正常に運転することを表すための表示パネル不使用モードを少なくとも含むものである。
【００５８】
具体的には、上記制御モードは、エアコンの制御方式、即ち、どのようにエアコンを制御できるかを示すためのものである。上記エアコンの表示パネルはタッチパネルであってもよく、エアコンパネルに設けられた表示パネルやエアコンから離れた室内の所定位置に設けられた表示パネル等を含み、エアコンの制御モードは、表示パネル不使用モードと端末制御モードと表示パネル制御モードを含んでもよい。
【００５９】
なお、従来技術によるエアコンはいずれも表示パネルを備えており、表示パネルが故障した場合には、エアコンは運転できなくなり、即ち、従来技術によるエアコンには表示パネル不使用モードが存在せず、表示パネルが正常である場合のみにおいてエアコンは運転可能である。上記実施例では、エアコンの制御モードは、表示パネル不使用モード、即ち、エアコンが表示パネルを使用せずに正常に運転するモードを含む。エアコンが表示パネルを使用しないことは、エアコンの表示パネルが故障して正常に運転できないことと、エアコンが表示パネルを備えていないこととを含んでもよい。
【００６０】
制御モジュール５２は、制御モードが表示パネル不使用モードである場合、現在の運転状態で運転させるようにエアコンを制御するものである。
【００６１】
具体的には、上記したエアコンの現在の運転状態はその制御モードが表示パネル不使用モードになる前の直近の運転状態であり、現在の運転モードや現在の目標温度等を含んでもよい。
【００６２】
以上から分かるように、本発明の上記実施例では、判定モジュールによりエアコンの現在の制御モードを判定し、制御モードが表示パネル不使用モードである場合、制御モジュールによりエアコンを制御して現在の運転状態で運転させる。上記解決手段による表示パネル不使用モードによれば、エアコンは、表示パネルを備えない場合又は表示パネルが故障した場合においても正常に運転可能となり、従来技術のエアコンの表示パネルが故障した場合に使用できないという技術的課題が解決され、そしてエアコンは表示パネルを使用しない場合に自主的に運転する効果が得られ、さらには、エアコン制御の多様性が実現される。
【００６３】
任意には、本発明の上記実施例によれば、判定モジュールは、検知サブモジュールと制御サブモジュールとを含む。
【００６４】
検知サブモジュールは、エアコンが正常に使用可能な表示パネルを備えているか否かを検知するものである。
【００６５】
制御サブモジュールは、エアコンが正常に使用可能な表示パネルを備えていないときには、表示パネル不使用モードに移行させるようにエアコンを制御するものである。
【００６６】
任意には、本発明の上記実施例によれば、検知サブモジュールは、第一の検知ユニットと第二の検知ユニットと判定ユニットとを含む。
【００６７】
第一の検知ユニットは、エアコンが表示パネルを備えているか否かを検知するものである。
【００６８】
第二の検知ユニットは、エアコンが表示パネルを備えている場合、エアコンの表示パネルが故障したか否かを検知するものである。
【００６９】
判定ユニットは、エアコンが表示パネルを備えない場合又はエアコンの表示パネルが故障した場合、エアコンは正常に使用可能な表示パネルを備えていないと判定するものである。
【００７０】
任意には、本発明の上記実施例によれば、上記装置は、検知モジュールと第一の制御モード変換モジュールと第二の制御モード変換モジュールとをさらに含む。
【００７１】
検知モジュールは、現在の運転状態で運転させるようにエアコンを制御した後、エアコンにそれを制御するための外部機器が接続されているか否かを検知するものである。
【００７２】
第一の制御モード変換モジュールは、エアコンに外部機器が接続されているときに、エアコンと通信する外部機器によりエアコンを制御するための端末制御モードに移行させるようにエアコンを制御するものである。
【００７３】
第二の制御モード変換モジュールは、エアコンに外部機器が接続されていないときに、現在の運転状態を保持させるようにエアコンを制御するものである。
【００７４】
任意には、本発明の上記実施例によれば、上記制御モジュールは、現在の運転状態でエアコンを運転させるように、表示パネルの故障フィードバックを遮断するためのものでもある。
【実施例３】
【００７５】
本発明の実施例によれば、記憶されたプログラムを含む記憶媒体を提供し、プログラムが実行されると、記憶媒体が設置された設備は、実施例１のエアコンの制御方法のいずれかを実行するように制御される。上記の記憶媒体は、ＵＳＢメモリ、読み出し専用メモリ（ＲＯＭ）、ランダムアクセスメモリ（ＲＡＭ）、ポータブルハードディスク、磁気ディスク又は光ディスク等のプログラムコードを記憶可能な各種の媒体を含むが、それらに限定されない。
【実施例４】
【００７６】
本発明の実施例によれば、プログラムを実行するためのプロセッサを提供し、プログラムが実行されると、実施例１のエアコンの制御方法のいずれかが実行される。上記プロセッサは、マイクロプロセッサ（ＭＣＵ）やフィールドプログラマブルゲートアレイ（ＦＰＧＡ）等の処理装置を含むが、それらに限定されない。
【００７７】
上記した本発明の実施例の番号は説明のためのものだけであり、実施例の優劣を表すものではない。
【００７８】
本発明の上記実施例では、各実施例についての説明にそれぞれ偏りがあり、ある実施例において詳しく説明されていなかった部分は、他の実施例における関連する説明を参照することができる。
【００７９】
本発明による幾つかの実施例で開示された技術内容が、他の態様で実現されうることは理解されたい。ここで、上述した装置の実施例は単なる例示にすぎず、例えば、前記したユニットを区分するには、論理機能上で区分してもよいが、実際に実施する場合には他の方式で区分してもよく、例えば、複数のユニットやコンポーネントが組み合わされ又は他のシステムに統合されてもよく、あるいは、一部の特徴は省略されても実行されなくてもよい。もう一方、表示され又は検討される相互間の結合や直接結合又は通信接続としては、インタフェースやユニット又はモジュールを介した間接的な結合又は通信接続であってもよく、電気的又は他の形式であってもよい。
【００８０】
前記個別の部品として説明されたユニットは、物理的に個別のものであってもよいし、そうではないものであってもよく、ユニットとして示された部品は、物理的ユニットであってもよいし、そうではないものであってもよく、即ち、一つの場所に配置されてもよいし、複数のユニットに分散されてもよい。それらのユニットの一部又は全部を実際の需要に応じて選択して、本実施例の解決手段の目的を実現することができる。
【００８１】
また、本発明の各実施例におけるそれぞれの機能ユニットは、一つの処理ユニットに統合されてもよく、個別の物理ユニットとされてもよく、一つのユニットに二つ又はそれ以上のユニットが統合されるようにしてもよい。上記の統合されたユニットは、ハードウェアとして実現されてもよく、ソフトウェア機能ユニットとして実現されてもよい。
【００８２】
前記の統合されたユニットは、ソフトウェア機能ユニットとして実現されて単独製品として販売され又は使用される場合、コンピュータ読取可能な一つの記憶媒体に記憶させることができる。このような理解に基づいて、本発明の技術的解決手段は本質的に、又は従来技術に寄与した部分あるいは同解決手段の全部や一部がソフトウェア製品として表現されてもよく、当該コンピュータソフトウェア製品は一つの記憶媒体に記憶されて、一つのコンピュータ機器（パソコンやサーバ又はネットワーク機器等であってもよい）に本発明の各実施例において前述した方法にかかるステップの全部や一部を実行させるための指令を含んでいる。前述した記憶媒体は、ＵＳＢメモリ、読み出し専用メモリ（ＲＯＭ、Ｒｅａｄ  Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、ポータブルハードディスク、磁気ディスク又は光ディスク等のプログラムコードを記憶可能な各種媒体を含む。
【００８３】
上記は単に本発明の好ましい実施形態であり、当業者にとっては、本発明の原理から逸脱することなく、若干の改良や修正を行うことも可能であるが、これらも本発明の保護範囲に属するものと見なすべきであることは了解されたい。
【産業上の利用可能性】
【００８４】
上記のように、本発明の少なくとも一部の実施例によるエアコンの制御方法と装置によれば、表示画面抜けモードにより、エアコンは表示画面無しで又は表示画面が壊れた場合においても正常に運転可能となり、従来技術のエアコンにおける表示画面が故障した場合に使用できなくなるという技術的課題が解決され、また、エアコンが表示画面の抜けた場合に自律的に運転する効果が得られ、さらには、エアコン制御の多様性が実現される。
【図１】
2020524775.tif 000003
【図２】
2020524775.tif 000004
【図３】
2020524775.tif 000005
【図４】
2020524775.tif 000006
【図５】
2020524775.tif 000007
【国際調査報告】
2020524775.tif 000008
2020524775.tif 000009
2020524775.tif 000010
2020524775.tif 000011